(57)【特許請求の範囲】
【請求項１】
液体を用いて媒体に記録を行う記録ヘッドと、
前記記録ヘッドに供給される液体を収容する複数の液体収容体と、
前記記録ヘッドと複数の前記液体収容体とをそれぞれ接続する複数のチューブと、
前記チューブをガイドするガイド部と、
前記記録ヘッドを搭載し、前記媒体が搬送される方向と交差する方向に往復移動可能に設けられるキャリッジと、を備え、
前記チューブは、前記キャリッジの移動に追従して、前記液体収容体に対して可動する可動部分と、前記液体収容体に対して可動しない非可動部分とで構成され、
前記ガイド部は、前記チューブにおいて少なくとも前記非可動部分を支持する支持部であり、複数の前記チューブにおける一の前記チューブが他の前記チューブと交差するように複数の前記チューブをガイドし、
前記支持部は、前記チューブにおいて、前記液体収容体側となる上流側から前記記録ヘッド側となる下流側に向かう方向において互いにずれた位置で前記チューブを一本ずつ順番に他の前記チューブと前記非可動部分同士で交差させるようガイドすることを特徴とする記録装置。
【請求項２】
前記支持部は、前記チューブを鉛直方向において互いにずれた位置で、前記非可動部分同士で交差させることを特徴とする請求項１に記載の記録装置。
【請求項３】
前記支持部は、複数の前記チューブをそれぞれ独立してガイド可能に設けられていることを特徴とする請求項１又は請求項２に記載の記録装置。
【請求項４】
前記支持部は、鉛直方向において重なるよう延びる複数の前記チューブを支持可能に設けられていることを特徴とする請求項１乃至請求項３のうち何れか一項に記載の記録装置。
【請求項５】
液体を用いて媒体に記録を行う記録ヘッドと、
前記記録ヘッドに供給される液体を収容する複数の液体収容体と、
前記記録ヘッドと複数の前記液体収容体とをそれぞれ接続する複数のチューブと、
前記チューブをガイドするガイド部と、
前記記録ヘッドを搭載し、前記媒体が搬送される方向と交差する方向に往復移動可能に設けられるキャリッジと、を備え、
前記チューブは、前記キャリッジの移動に追従して、前記液体収容体に対して可動する可動部分と、前記液体収容体に対して可動しない非可動部分とで構成され、
前記ガイド部は、前記キャリッジに設けられ、前記チューブの前記可動部分を保持するチューブ保持部であり、複数の前記チューブにおける一の前記チューブが他の前記チューブと交差するように複数の前記チューブをガイドし、
前記チューブ保持部は、前記チューブにおいて、前記液体収容体側となる上流側から前記記録ヘッド側となる下流側に向かう方向において互いにずれた位置で前記チューブを一本ずつ順番に他の前記チューブと前記可動部分同士で交差させるようガイドすることを特徴とする記録装置。
【請求項６】
液体を用いて媒体に記録を行う記録ヘッドと、
前記記録ヘッドに供給される液体を収容する複数の液体収容体と、
前記記録ヘッドと複数の前記液体収容体とをそれぞれ接続する複数のチューブと、を備え、
前記チューブは、前記液体収容体と接続される上流側チューブと、前記記録ヘッドと接続される下流側チューブと、継手とを含んで構成され、
前記継手は、複数の前記チューブにおける一の前記チューブが他の前記チューブと交差するように前記上流側チューブと前記下流側チューブとを接続する複数のパイプ部材を有し、
複数の前記パイプ部材は、前記チューブにおいて、前記液体収容体側となる上流側から前記記録ヘッド側となる下流側に向かう方向において互いにずれた位置で前記チューブを一本ずつ順番に他の前記チューブと交差させるように、互いに交差することを特徴とする記録装置。
【発明の詳細な説明】
【技術分野】
【０００１】
本発明は、例えばインクジェット式プリンターなどの記録装置に関する。
【背景技術】
【０００２】
従来から、液体の一例であるインクを吐出することで媒体に記録を行う記録ヘッドと、インクを収容する複数のインクタンク（液体収容体）とを備え、複数のチューブを介して記録ヘッドとそれぞれのインクタンクとが接続されるインクジェット式のプリンターが知られている。このようなプリンターの中には、引き揃えられたチューブの配列状態をインクタンクから記録ヘッドに向かう途中で変更するものがある（例えば特許文献１）。
【先行技術文献】
【特許文献】
【０００３】
【特許文献１】特開２０１５−１１６７６２号公報
【発明の概要】
【発明が解決しようとする課題】
【０００４】
ところで、特許文献１のプリンターでは、並列状態に一体化された複数のチューブをその並列状態を維持したまま捩ることで、チューブの配列状態を変更している。そのため、例えば並列状態にあるチューブを捩るための領域が十分にないプリンターの場合、記録ヘッドとインクタンクとに組み付ける際にチューブを捩ることが困難となる虞がある。
【０００５】
本発明は、上記実情に鑑みてなされたものであり、その目的は、記録ヘッドと液体収容体とを接続する複数のチューブにおける配列状態を容易に変更できる記録装置を提供することにある。
【課題を解決するための手段】
【０００６】
以下、上記課題を解決するための手段及びその作用効果について記載する。
上記課題を解決する記録装置は、液体を用いて媒体に記録を行う記録ヘッドと、前記記録ヘッドに供給される液体を収容する複数の液体収容体と、前記記録ヘッドと複数の前記液体収容体とをそれぞれ接続する複数のチューブと、前記チューブをガイドするガイド部と、を備え、前記ガイド部は、引き揃えられて延びる複数の前記チューブにおける一の前記チューブが他の前記チューブと交差するように複数の前記チューブをガイドする。
【０００７】
この構成によれば、ガイド部により複数のチューブが互いに交差するようにガイドされることで、チューブの配列状態が変更される。したがって、記録ヘッドと液体収容体とを接続する複数のチューブにおける配列状態を容易に変更できる。
【０００８】
上記記録装置においては、前記記録ヘッドを搭載し、前記媒体が搬送される方向と交差する方向に往復移動可能に設けられるキャリッジを備え、前記チューブは、前記キャリッジの移動に追従して可動する可動部分と可動しない非可動部分とで構成され、前記ガイド部は、前記チューブにおいて少なくとも前記非可動部分を支持する支持部であることが好ましい。
【０００９】
この構成によれば、ガイド部を支持部と兼ねることができる。
上記記録装置において、前記支持部は、前記チューブを鉛直方向において互いにずれた位置で、前記非可動部分同士で交差させることが好ましい。
【００１０】
この構成によれば、チューブを交差させる際に、水平方向におけるチューブの広がりを抑制できる。
上記記録装置において、前記支持部は、前記チューブにおいて、前記液体収容体側となる上流側から前記記録ヘッド側となる下流側に向かう方向において互いにずれた位置で前記チューブを一本ずつ順番に他の前記チューブと前記非可動部分同士で交差させるようガイドすることが好ましい。
【００１１】
この構成によれば、複数のチューブをそれぞれ一斉に交差させる構成と比べて、交差させる際のチューブの広がりを抑制できる。
上記記録装置において、前記支持部は、複数の前記チューブをそれぞれ独立してガイド可能に設けられていることが好ましい。
【００１２】
この構成によれば、複数のチューブをまとめてガイドする構成と比較して、より安定的にチューブを交差させることができる。
上記記録装置において、前記支持部は、鉛直方向において重なるよう引き揃えられた複数の前記チューブを支持可能に設けられていることが好ましい。
【００１３】
この構成によれば、支持部に支持されるチューブの水平方向における広がりを抑制できる。
上記記録装置においては、前記記録ヘッドを搭載し、前記媒体が搬送される方向と交差する方向に往復移動可能に設けられるキャリッジを備え、前記チューブは、前記キャリッジの移動に追従して可動する可動部分と可動しない非可動部分とで構成され、前記ガイド部は、前記キャリッジに設けられ、前記チューブの前記可動部分を保持するチューブ保持部であることが好ましい。
【００１４】
この構成によれば、ガイド部をチューブ保持部と兼ねることができる。
上記記録装置において、前記チューブは、前記液体収容体と接続される上流側チューブと、前記記録ヘッドと接続される下流側チューブとを含んで構成され、前記ガイド部は、前記上流側チューブと前記下流側チューブとを接続する継手であることが好ましい。
【００１５】
この構成によれば、ガイド部を継手と兼ねることができる。
【図面の簡単な説明】
【００１６】
【図１】一実施形態の記録装置を含む複合機の斜視図。
【図２】複合機の正面図。
【図３】記録装置の筐体内に設けられる構成の一部を示す斜視図。
【図４】記録部、液体収容体及びこれらを接続するチューブの斜視図。
【図５】液体収容体及びチューブの斜視図。
【図６】液体収容体及びチューブの斜視図。
【図７】チューブを支持する支持部の斜視図。
【図８】チューブを支持する支持部の斜視図。
【図９】支持部の下流側から見たときの、支持部により配列が変更される前のチューブの配列状態を示す模式図。
【図１０】支持部の下流側から見たときの、支持部により配列が変更された後のチューブの配列状態を示す模式図。
【図１１】引き揃えられたチューブを捩ることでチューブの配列状態を変更する場合の模式図。
【図１２】本実施形態における支持部によりチューブの配列状態を変更する模式図。
【図１３】ガイド部の変形例を示す斜視図。
【図１４】ガイド部の他の変形例を示す斜視図。
【発明を実施するための形態】
【００１７】
以下、記録装置の一実施形態含む複合機について図を参照して説明する。なお、本実施形態の記録装置は、例えば液体の一例であるインクを用いて媒体に文字や画像の記録を行う記録ヘッドを備えるインクジェット式プリンターで構成されている。
【００１８】
図１及び図２に示すように、複合機１１は、媒体の一例である用紙Ｓに対して記録を行う記録装置１２と、その上部に重ねて配置される画像読取部１３とを備えている。画像読取部１３は、例えばスキャナーなどで構成され、載置台１４に載置された原稿を自動的に給送し、原稿に記録されている文字や画像を読み取り可能に設けられている。記録装置１２は、直方体状の筐体１５を備え、筐体１５の内部には、用紙Ｓに対して記録を行う記録部３０が設けられている。
【００１９】
記録装置１２の筐体１５は、その下部を構成する下部筐体１６と、下部筐体１６の上方に重ねて配置される上部筐体１７とを備えている。上部筐体１７の一面（図１において右前方を向く面）には、筐体１５内が露出される開口部１８が設けられている。ここで、上部筐体１７において開口部１８が形成されている面を記録装置１２の前面とし、その反対側の面を後面とする。
【００２０】
また、上部筐体１７の前面であって、開口部１８の下方には、記録装置１２の前方に向けて引き出し可能な排出トレイ１９が設けられている。また、この排出トレイ１９の下方には、用紙Ｓが積層された状態で載置される上段カセット２０を装着可能な上段カセット装着部２１が設けられている。そして、下部筐体１６の前面にも、上段カセット２０と同様に構成される下段カセット２２を装着可能な下段カセット装着部２３が設けられている。
【００２１】
筐体１５内に設けられる記録部３０は、図２において左右方向となる筐体１５の長手方向に延びるガイド板２５に沿って往復移動可能なキャリッジ３１と、キャリッジ３１に搭載される記録ヘッド３２とを備えている。記録ヘッド３２には不図示のノズルが複数設けられ、用紙Ｓに記録を行う際にはこのノズルからインクが吐出される。すなわち、記録装置１２は、上段カセット２０及び下段カセット２２に載置された用紙Ｓを記録装置１２の後面側から前面側に向かう方向である用紙Ｓの搬送方向に沿って一枚ずつ搬送し、搬送方向と交差する走査方向に沿って往復移動するキャリッジ３１に搭載される記録ヘッド３２がインクを吐出することで記録を行う。そして、記録装置１２は、記録が行われた用紙Ｓを、排出トレイ１９に向けて開口部１８から筐体１５外へ排出する。なお、画像読取部１３の前面には、記録装置１２の前方に向けて突出する操作部２４が設けられ、この操作部２４を介して画像読取部１３や記録装置１２に各種動作を行わせる。
【００２２】
図２において右側となる上部筐体１７の側面には、液体収容体４０を保持する液体収容体保持部５０が取り付けられている。この液体収容体４０は、記録ヘッド３２が用紙Ｓに対して吐出するインクを収容する容器、所謂インクタンクとして構成されている。すなわち、液体収容体４０は、インクを導出可能なチューブ６０により記録部３０の記録ヘッド３２と接続され、液体収容体４０に収容されるインクがチューブ６０を通じて記録ヘッド３２に供給される。また、この液体収容体４０には、液体収容体４０内にインクを注入可能な注入口４１がその上部に設けられている。ここで、上部筐体１７において液体収容体保持部５０が取り付けられる面を記録装置１２の右面とし、その反対の面を左面とする。
【００２３】
液体収容体保持部５０は、その上部に開閉自在に設けられるカバー５１を備えている。このカバー５１が開けられることにより、液体収容体保持部５０に保持される液体収容体４０の注入口４１が露出される。また、液体収容体保持部５０には、液体収容体保持部５０が保持する液体収容体４０の外装の一部を露出させる窓部５２が開口している。そして、下部筐体１６には、上部筐体１７に取り付けられた液体収容体保持部５０を下方から支持する台座部２６が突出して設けられている。
【００２４】
図３及び図４に示すように、インクを収容する液体収容体４０は、液体収容体保持部５０内において上部筐体１７の右面に沿って複数設けられ、それぞれ異なる色のインクを収容している。本実施形態においては、四個の液体収容体４０Ｃ、４０Ｍ、４０Ｙ、４０Ｋが並んで設けられ、それぞれシアン、マゼンタ、イエロー、ブラックのインクを収容している。ここで、四個の液体収容体４０Ｃ、４０Ｍ、４０Ｙ、４０Ｋのうち、最も前面側に位置する液体収容体４０Ｋは、他の三個と比較して大容量に設けられ、消費頻度の高いブラックのインクが収容されている。そして、その他三個の液体収容体４０Ｃ、４０Ｍ、４０Ｙは、上部筐体１７の後面側から順番にシアン、マゼンタ、イエローのインクを収容している。
【００２５】
液体収容体４０から記録ヘッド３２へインクを導出するチューブ６０は、液体収容体４０の数と対応して複数（本実施形態においては四本）設けられている。チューブ６０Ｃ、６０Ｍ、６０Ｙ、６０Ｋは、四本引き揃えられた状態で液体収容体保持部５０内及び上部筐体１７内を引き回され、液体収容体４０に接続される一端とは反対となる他端が、キャリッジ３１に搭載される複数の中継部材３３にそれぞれ接続されている。キャリッジ３１は、上側に開口を有する箱体状で設けられ、そのキャリッジ３１内に、液体収容体４０から導出されるインクを記録ヘッド３２へ中継する中継部材３３が四個並んで配置されている。キャリッジ３１の走査方向に沿って並ぶ中継部材３３Ｃ、３３Ｍ、３３Ｙ、３３Ｋは、上部筐体１７の前面から見たときに右からシアン、マゼンタ、イエロー、ブラックのインクが導出されるチューブ６０がそれぞれ接続され、キャリッジ３１に搭載される記録ヘッド３２にインクを供給する。すなわち、チューブ６０は、中継部材３３を介して記録ヘッド３２と接続されているともいえる。ここで、チューブ６０において、液体収容体４０に接続される側をチューブ６０の上流側とし、記録ヘッド３２に接続される側をチューブ６０の下流側とする。
【００２６】
上部筐体１７内であって、その前面側には、図３及び図４における左右方向に沿って延びる長尺の支持部７０が設けられている。すなわち、支持部７０は、キャリッジ３１よりも前方となる位置であって、用紙Ｓの搬送方向と交差するキャリッジ３１の走査方向に沿って設けられている。そして、この支持部７０は、上部筐体１７内を延びるチューブ６０の一部を下方から支持している。なお、支持部７０において、上部筐体１７の右面側を支持部７０の上流側とし、左面側を支持部７０の下流側とする。
【００２７】
キャリッジ３１は、その上部から上部筐体１７の前面に向けて支持部７０を跨ぐように延びて設けられる延設部３４を有している。延設部３４は、上部筐体１７内に設けられる図示しないフレーム部材と接触することによりキャリッジ３１を前面側から支持する。すなわち、キャリッジ３１は、ガイド板２５とフレーム部材とによって安定的に支持されている。そして、支持部７０の上方に位置する延設部３４の天板には、中継部材３３に接続されるチューブ６０の一部を保持するチューブ保持部３５が設けられている。チューブ保持部３５は、複数設けられる案内壁３６によりそれぞれのチューブ６０Ｃ、６０Ｍ、６０Ｙ、６０Ｋの下流端を各中継部材３３Ｃ、３３Ｍ、３３Ｙ、３３Ｋに案内する。
【００２８】
液体収容体４０と記録ヘッド３２とを接続するチューブ６０は、その途中となる部分にチューブ６０の延びる方向が反転されるよう上方に湾曲する湾曲部６１を有している。液体収容体４０から支持部７０に沿って上部筐体１７の左面側に向けて延びるチューブ６０は、湾曲部６１により支持部７０から離脱されて、延びる方向が上部筐体１７の右面側へと変更されている。すなわち、チューブ６０において、湾曲部６１よりも上流側となる一部分と下流側となる一部分とが鉛直方向において重なる状態とされている。なお、この湾曲部６１は、キャリッジ３１の移動に伴ってチューブ６０における形成位置が変位される。例えば、キャリッジ３１が上部筐体１７の右面側に位置する状態から左面側に移動したとすると、チューブ６０において湾曲部６１の設けられる位置が、チューブ６０の下流端寄りとなる位置に変位される。すなわち、チューブ６０は、キャリッジ３１の移動に追従して可動する可動部分６２と、キャリッジ３１の移動に対して可動しない非可動部分６３とを含んで構成されている。
【００２９】
図５及び図６に示すように、液体収容体４０は、箱形状をなす樹脂製の容器であって、その内部にインクを収容可能な液体収容室４２を備えている。この液体収容室４２は、注入口４１と連通されている。また、液体収容体４０は、注入口４１を閉栓可能な栓部材４３を備えている。すなわち、液体収容体４０にインクを注入する際には、注入口４１から栓部材４３を取り外し、開放された注入口４１を介して液体収容室４２にインクが注入される。また、液体収容体４０は、注入口４１とは別に液体収容体４０内（液体収容室４２）を液体収容体４０外（大気）と連通する大気連通経路４４が設けられている。この大気連通経路４４は、液体収容室４２に収容されたインクが記録ヘッド３２に供給されることに伴って、液体収容室４２が負圧になることを抑制する。液体収容室４２が負圧になると、記録ヘッド３２へのインクの供給が滞る虞があるが、液体収容室４２が大気と連通される構成があれば、そのような虞が低減される。また、上部筐体１７において後面側となる液体収容体４０の側面には、シート部材４５が熱溶着により取り付けられることで、液体収容室４２の側面が封止されている。
【００３０】
液体収容体保持部５０の窓部５２により露出される液体収容体４０の外装の一部は、液体収容室４２に収容されるインクの液量を視認可能とする視認面４６とされている。視認面４６は、ガラスやプラスチックなどの透明部材で構成され、液体収容体４０が収容するインクの好ましい上限量を示す上限目盛４７を備えている。そして、液体収容体４０において、視認面４６が設けられる側とは反対側には、液体収容室４２からインクが導出されるための導出口４８が、上部筐体１７の前面側に向けて延びている。この導出口４８にチューブ６０の上流端がそれぞれ接続されている。また、液体収容体４０において導出口４８の上方には、導出口４８から延びるチューブ６０を保持可能なクランプ４９が複数設けられている。クランプ４９は、略Ｃ字状に設けられ、それぞれの液体収容体４０に三個ずつ鉛直方向に並んで設けられている。具体的には、一の液体収容体４０に設けられるクランプ４９が、上部筐体１７において当該液体収容体４０よりも後面側に位置する他の液体収容体４０から延びるチューブ６０を保持している。例えば、ブラックのインクを収容する液体収容体４０Ｋは、この液体収容体４０Ｋよりも後面側に位置する三個の液体収容体４０Ｃ、４０Ｍ、４０Ｙから延びるチューブ６０Ｃ、６０Ｍ、６０Ｙをそれぞれクランプ４９が保持している。なお、ブラックのインクを収容する液体収容体４０Ｋに接続されるチューブ６０Ｋは、消費頻度の観点から、他の三本と比較して流量が多くなるよう径の大きなものが採用されている。
【００３１】
図３、図５及び図６に示すように、液体収容体４０と記録ヘッド３２とを接続するチューブ６０は、液体収容体保持部５０内を延びる上流側チューブ６４と、上部筐体１７内を延びる下流側チューブ６５とから構成されている。そして、上流側チューブ６４Ｃ、６４Ｍ、６４Ｙ、６４Ｋ及び下流側チューブ６５Ｃ、６５Ｍ、６５Ｙ、６５Ｋは、継手８０によって互いに接続されている。すなわち、継手８０は、チューブ６０を接いでいる。
【００３２】
チューブ６０においてその上流側を構成し、クランプ４９に保持される上流側チューブ６４は、上流端が液体収容体４０の導出口４８に接続され、下流端が継手８０に接続されている。また、チューブ６０においてその下流側を構成し、一部が支持部７０に支持される下流側チューブ６５は、上流端が継手８０に接続され、下流端が中継部材３３に接続される。この継手８０は、略Ｌ字状をなすよう屈曲した複数のパイプ部材８１で構成され、それぞれが一体的に設けられて構成されている。具体的には、シアン、マゼンタ、イエローのインクを導出するチューブ６０Ｃ、６０Ｍ、６０Ｙを接ぐパイプ部材８１Ｃ、８１Ｍ、８１Ｙが、上部筐体１７の後面側から前面側に向けて並列に配置され、ブラックのインクを導出するチューブ６０Ｋを接ぐパイプ部材８１Ｋが、パイプ部材８１Ｍの下方に配置されている。そして、この継手８０に対して、上流側チューブ６４は下方から接続され、下流側チューブ６５は側方から接続されている。すなわち、継手８０により、チューブ６０Ｃ、６０Ｍ、６０Ｙ、６０Ｋが所定の配列状態に引き揃えられ、さらにチューブ６０の延びる方向が変更されている。
【００３３】
次に、チューブ６０を支持する支持部７０について説明する。
図７及び図８に示すように、支持部７０は、下流側チューブ６５の一部を下方から支持する底壁７１と、底壁７１の両端から上方に延びる二枚の側壁７２とを備え、レール状に構成されている。また、支持部７０の長手方向における中央位置には、下流側チューブ６５の脱落を抑制する板状の係止部７３が側壁７２の上部に架設されている。すなわち、下流側チューブ６５において、係止部７３よりも上流側に位置する部分がチューブ６０の非可動部分６３で、下流側に位置する部分がチューブ６０の可動部分６２とされている。チューブ６０を支持する支持部７０は、少なくとも非可動部分６３を支持している。
【００３４】
さらに、支持部７０は、下流側チューブ６５をガイドするためのガイド壁７４を複数備えている。ガイド壁７４は、支持部７０において係止部７３よりも上流側となる位置に、支持部７０の長手方向に沿って設けられている。支持部７０は、ガイド壁７４と側壁７２とによって、それぞれの下流側チューブ６５を独立してガイド可能に設けられている。そして、支持部７０により支持されるチューブ６０は、それぞれ互いに非可動部分６３同士で交差されている。すなわち、支持部７０は、引き揃えられて延びる複数のチューブ６０における一のチューブ６０が他のチューブ６０と交差するように複数のチューブ６０をガイドするガイド部として機能する。
【００３５】
次に、ガイド部として機能する支持部７０によりガイドされるチューブ６０の動きを説明する。
図５、図６、図７、図８、図９及び図１０に示すように、継手８０から延びる下流側チューブ６５は、ガイド壁７４よりも上流側において、継手８０に引き揃えられた配列状態のまま支持部７０に支持されている。すなわち、支持部７０の上流側において、下流側チューブ６５は、シアン、マゼンタ、イエローのインクが導出される三本の下流側チューブ６５Ｃ、６５Ｍ、６５Ｙが並列に並び、ブラックのインクが導出される下流側チューブ６５Ｋが、下流側チューブ６５Ｍの下方を延びるように引き揃えられている。そして、支持部７０は、ガイド壁７４により、鉛直方向において上段部分７５及び下段部分７６の二段に分けて下流側チューブ６５を支持可能に設けられている。
【００３６】
支持部７０の下段部分７６を延び、ブラックのインクが導出される下流側チューブ６５Ｋは、チューブ６０の上流側から下流側に向かう方向において、まず、ガイド壁７４によって他の三本の下流側チューブ６５Ｃ、６５Ｍ、６５Ｙの下方を潜るように上部筐体１７の後面側へ向けてガイドされる。その後、支持部７０の側壁７２に接触し、側壁７２に沿って下流側に延びている。
【００３７】
支持部７０の上段部分７５を延び、イエローのインクが導出される下流側チューブ６５Ｙは、チューブ６０の上流側から下流側に向かう方向において、まず、支持部７０の上段部分７５から下段部分７６へ向かうようガイドされつつ、支持部７０の上段部分７５を延びる下流側チューブ６５Ｃ、６５Ｍの下方を潜り、上部筐体１７の後面側へ向けてガイドされる。その後、下流側チューブ６５Ｋと隣り合う位置へとガイドされ、下流側チューブ６５Ｋとともに下流側に延びている。
【００３８】
支持部７０の上段部分７５を延び、マゼンタのインクが導出される下流側チューブ６５Ｍは、チューブ６０の上流側から下流側に向かう方向において、まず、支持部７０の上段部分７５から下段部分７６へ向かうようガイドされる。このとき、下流側チューブ６５Ｍは、支持部７０の下段部分７６を延びる下流側チューブ６５Ｙの上方を通過している。その後、支持部７０の下段部分７６にガイドされた下流側チューブ６５Ｍは、支持部７０の上段部分７５を延びる下流側チューブ６５Ｃの下方を潜り、下段部分７６を延びる下流側チューブ６５Ｙと隣り合う位置にガイドされ、下流側チューブ６５Ｙとともに下流側に延びている。
【００３９】
支持部７０の上段部分７５を延び、シアンのインクが導出される下流側チューブ６５Ｃは、チューブ６０の上流側から下流側に向かう方向において、まず、支持部７０の上段部分７５において他の三本の下流側チューブ６５Ｍ、６５Ｙ、６５Ｋの上方を通過し、上部筐体１７の前面側に向けてガイドされる。その後、支持部７０の上段部分７５から下段部分７６へ向かうようガイドされ、下流側チューブ６５Ｍと側壁７２との間となる位置で下流側に延びている。すなわち、支持部７０は、チューブ６０の上流側から下流側に向かう方向において、チューブ６０を一本ずつ順番に他のチューブ６０に対して交差させている。また、交差させる際には、鉛直方向において互いにずれた位置でチューブ６０同士を交差させる。
【００４０】
図９及び図１０に示すように、支持部７０によって、交差されるようガイドされたチューブ６０は、その配列状態が上流側と下流側とで変更されている。支持部７０の上流側においては、鉛直方向において上下二列に分かれて配列されていたチューブ６０が、支持部７０の下流側においては、一列にまとまって配列されている。具体的には、図９においては右からチューブ６０Ｙ、６０Ｍ、６０Ｃの順で配列されていたチューブ６０が、図１０においては右からチューブ６０Ｃ、６０Ｍ、６０Ｙとその配列が反転されている。さらに、支持部７０の上流側においてチューブ６０Ｍの下方に配置されていたチューブ６０Ｋが、支持部７０の下流側においては他のチューブ６０Ｃ、６０Ｍ、６０Ｙとともに並列に引き揃えられ、右からチューブ６０Ｃ、６０Ｍ、６０Ｙ、６０Ｋの順で配列されている。
【００４１】
次に、上記のように構成された記録装置１２の作用について説明する。
記録装置１２において、記録ヘッド３２に供給されるインクを収容する液体収容体４０の配列と、キャリッジ３１が備える中継部材３３との配列が対応していない場合、液体収容体４０と中継部材３３とを接続するチューブ６０の配列を途中で変更する必要がある。例えば、液体収容体４０が、シアン、マゼンタ、イエロー、ブラックの順番に並んでいるのに対して、中継部材３３が、ブラック、イエロー、マゼンタ、シアンの順番で並んでいるような場合、並列に引き揃えられたチューブ６０を捩り、チューブ６０の並びを反転させて配列状態を変更することが一般的である。
【００４２】
しかし、捩ることでチューブ６０の配列状態を変更する構成では、捩るための領域を要する他に、記録装置１２を組み立てる際にチューブ６０を捩る動作が必要となるため、記録装置１２の組立作業が煩雑なものとなってしまう。そこで、本実施形態では、チューブ６０を交差させるようガイドするガイド部の一例として、チューブ６０を支持する支持部７０を備えている。この支持部７０によれば、ガイド壁７４及び側壁７２に沿ってチューブ６０を組み付けるだけで、チューブ６０の配列状態が、予め設定された配列状態へ変更される。
【００４３】
図１１に示すように、例えば、並列に三本引き揃えられたチューブ６０の場合、従来のように捩って配列状態を変更する構成では、チューブ６０の半径を「ｒ」とすると、チューブ６０の延びる方向から見たときに、「３ｒ×３ｒ×π＝９πｒ２」もの領域Ａを要する。これに対し、図１２に示すように、本実施形態における支持部７０は、上下二列でチューブ６０の配置を入れ替えることで、チューブ６０の配列状態をするために要する領域Ａの大きさを低減している。この構成においては、チューブ６０の半径を「ｒ」とすると、チューブ６０の延びる方向から見たときの領域Ａの大きさが「４ｒ×６ｒ＝２４ｒ２」となる。「π」を「３」として概算しても、後者の方がチューブ６０の配列状態を変更するために要する領域Ａが小さい。また、前者と後者の領域差は、引き揃えられるチューブ６０の本数が多いほど顕著となる。
【００４４】
上記実施形態によれば、以下のような効果を得ることができる。
（１）ガイド部（支持部７０）により複数のチューブ６０が互いに交差するようにガイドされることで、チューブ６０の配列状態が変更される。したがって、記録ヘッド３２と液体収容体４０とを接続する複数のチューブ６０における配列状態を容易に変更できる。
【００４５】
（２）チューブ６０を交差させるようガイドするガイド部を、チューブ６０を支持する支持部７０と兼ねることができる。
（３）支持部７０がチューブ６０を鉛直方向において互いにずれた位置で交差させることで、チューブ６０を交差させる際に、水平方向におけるチューブ６０の広がりを抑制できる。
【００４６】
（４）支持部７０が、チューブ６０の上流側から下流側に向かう方向において互いにずれた位置でチューブ６０を交差させることで、複数のチューブ６０をそれぞれ一斉に交差させる構成と比べて、交差させる際のチューブ６０の広がりを抑制できる。
【００４７】
（５）ガイド壁７４及び側壁７２により支持部７０がチューブ６０を独立してガイドすることで、複数のチューブ６０をまとめてガイドする構成と比較して、より安定的にチューブ６０を交差させることができる。
【００４８】
（６）支持部７０が鉛直方向に重なって引き揃えられるチューブ６０を支持可能なため、支持部７０に支持されるチューブ６０の水平方向における広がりを抑制できる。
（７）液体収容体４０と中継部材３３とをチューブ６０で接続する際、ガイド壁７４と側壁７２に沿ってチューブ６０を組み付けるだけでチューブ６０の配列状態を変更させることができるため、記録装置１２の組立作業の煩雑さを低減することができる。
【００４９】
なお、上記実施形態は以下のように変更してもよい。また、上記実施形態に対して、以下の変形例は、適宜組み合わせてもよい。
・図１３に示すように、上記実施形態において、延設部３４の天板に設けられ、チューブ６０の可動部分６２を保持するチューブ保持部３５をガイド部として機能させる構成でもよい。この構成におけるチューブ保持部３５は、案内壁３６により案内されるチューブ６０を他のチューブ６０と交差させるべく、他のチューブ６０の通過を許容するようアーチ状をなすアーチ部３７を備えている。チューブ保持部３５がガイド部として機能することにより、チューブ６０は、キャリッジ３１の移動に追従して可動する可動部分６２同士が交差されて、チューブ６０の配列状態が変更される。
【００５０】
この構成によれば、以下の効果を得ることができる。
（８）チューブ６０を交差させるようガイドするガイド部を、チューブ６０を保持するチューブ保持部３５と兼ねることができる。
【００５１】
・図１４に示すように、上記実施形態において、上流側チューブ６４と下流側チューブ６５とを接続する継手８０をガイド部として機能させる構成でもよい。この構成における継手８０は、一体的に設けられるパイプ部材８１が互いに交差されて、上流側チューブ６４と下流側チューブ６５とを接続している。すなわち、パイプ部材８１により、上流側チューブ６４の下流端から流れ出るインクが下流側チューブ６５の上流端へとガイドされることで、上流側チューブ６４と下流側チューブ６５とで流れるインクの配列が変更されている。そのため、継手８０は、実質的に、引き揃えられて延びる複数のチューブ６０における一のチューブ６０が他のチューブ６０と交差するように複数のチューブ６０をガイドするといえる。なお、図１４における継手８０は、パイプ部材８１同士の交差する態様を明示するために、それぞれのパイプ部材８１間に隙間を設けて図示されているが、実際は一体的に設けられている。
【００５２】
この構成によれば、以下の効果を得ることができる。
（９）チューブ６０を交差させるようガイドするガイド部を、上流側チューブ６４と下流側チューブ６５とを互いに接続する継手８０と兼ねることができる。
【００５３】
・上記実施形態において、チューブ６０は、上流側チューブ６４と下流側チューブ６５とから設けられる構成に限らず、液体収容体４０から中継部材３３までを接続する一の連続したチューブ６０で設けられる構成でもよい。
【００５４】
・上記実施形態において、継手８０を構成するパイプ部材８１は、それぞれが独立して設けられる構成でもよい。
・上記実施形態において、支持部７０は、ガイド壁７４及び側壁７２によってチューブ６０を一本ずつ独立してガイドする構成に限らず、二本まとめてガイドする構成でもよい。
【００５５】
・上記実施形態において、支持部７０は、チューブ６０を一斉に交差させるようガイドする構成でもよい。
・上記実施形態において、支持部７０は、水平方向においてずれた位置でチューブを交差させるようガイドする構成でもよい。
【００５６】
・上記実施形態において、複数のチューブ６０は、それぞれ径が同一のものを採用してもよいし、それぞれ異なるものを採用してもよい。
・上記実施形態において、液体収容体４０は、注入口４１を有するインクタンクに限らず、取替式のインクパックやインクカートリッジでもよい、
・上記実施形態において、チューブ６０の湾曲部６１は、水平に湾曲される構成でもよい。
【００５７】
・上記実施形態において、チューブ６０は、湾曲部６１を備えなくともよい。
・上記実施形態において、チューブ６０の本数は五本以上でも三本以下でもよい。
・上記実施形態において、キャリッジ３１内に中継部材３３を設けない構成としてもよい。例えば、液体収容体４０から延びるチューブ６０を記録ヘッド３２に直接接続する構成でもよい。
【００５８】
・上記実施形態において、液体収容体４０が備えるシート部材４５は、熱溶着に限らず例えば接着剤等を用いて取り付けられる構成でもよい。
・上記実施形態において、記録装置１２を構成する筐体１５は、上部筐体１７と下部筐体１６の二つの筐体から設けられる構成に限らず、一の筐体で構成されていてもよい。
【００５９】
・上記実施形態において、支持部７０は、上段部分７５と下段部分７６とで分けてチューブ６０を支持する構成に限らず、並列に並んだ一列のチューブ６０を支持し、交差させるようガイドする構成でもよい。
【００６０】
・上記実施形態において、ガイド部は、チューブ６０の配列状態を反転させる構成に限らず、単に配置を入れ替える構成であってもよい。例えば、シアン、マゼンタ、イエロー、ブラックと並ぶチューブ６０の配列状態を、ブラック、マゼンタ、シアン、イエローと並ぶ配列状態に変更する構成であってもよい。
【００６１】
・上記実施形態において、液体収容体４０がそれぞれ収容するインクは、シアン、マゼンタ、イエロー、ブラックの四色に限らず、ライトシアンやライトマゼンタ、ホワイトなど様々な色を採用してもよい。
【００６２】
・上記実施形態において、記録ヘッド３２は、走査方向に移動するシリアルヘッド方式に限らず、用紙Ｓの搬送方向と交差する方向に長尺に設けられるラインヘッド方式でもよい。
【００６３】
・上記実施形態において、媒体は、用紙Ｓに限らず、布帛やプラスチックフィルムなどでもよい。
・上記実施形態において、記録装置１２は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、流体には、例えば液体（無機溶剤、有機溶剤、溶液、液状樹脂、液状金属（金属融液）等を含む）、液状体、流状体などが含まれる。
【符号の説明】
【００６４】
１２…記録装置、１７…上部筐体、２５…ガイド板、３１…キャリッジ、３２…記録ヘッド、３３…中継部材、３４…延設部、３５…チューブ保持部、４０…液体収容体、４６…視認面、５０…液体収容体保持部、６０…チューブ、６１…湾曲部、６２…可動部分、６３…非可動部分、６４…上流側チューブ、６５…下流側チューブ、７０…支持部、７１…底壁、７２…側壁７３…係止部、８０…継手。
【図１】
0006682846.tif 000002
【図２】
0006682846.tif 000003
【図３】
0006682846.tif 000004
【図４】
0006682846.tif 000005
【図５】
0006682846.tif 000006
【図６】
0006682846.tif 000007
【図７】
0006682846.tif 000008
【図８】
0006682846.tif 000009
【図９】
0006682846.tif 000010
【図１０】
0006682846.tif 000011
【図１１】
0006682846.tif 000012
【図１２】
0006682846.tif 000013
【図１３】
0006682846.tif 000014
【図１４】
0006682846.tif 000015